【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
少なくとも１つのプロトン化部位を有する少なくとも１つのアニオン染料と、
インクのpHを5.5〜9.5の範囲で維持するのに十分な量の少なくとも１つの緩衝剤と、
少なくとも１つの沈殿剤と、
を含んで成る水性インクジェットインク。
【請求項２】
前記少なくとも１つのアニオン染料が、下記式(I)
【化１】
2000129183.tif 000001
〔式中、
R１は、水素又は炭素数１〜６の脂肪族基から選択され、
nは、２、３、又は４であり、
Xは、NR3R4であり、
R3とR4はそれぞれ、水素；炭素数１〜６のアルキル；O、OCH3、COOM、SO3Mから選択される置換基によって置換された炭素数２〜６の置換アルキル；アラルキル；非置換アリール又はCOOMもしくはSO3Mで置換されたアリールから選択され、
R3とR4は、ヘテロ原子含有又は非含有の環を形成することができ、
又は、
Xは、SR5であり、
R5は炭素数１〜６のアルキル；OH、OCH3、COOM、SO3Mから選択される置換基によって置換された炭素数２〜６の置換アルキルであり、
又は、
Xは、OR6であり、
R6は水素又は炭素数１〜６の脂肪族基であり、
R７は、水素、炭素数１〜６のアルキル；CN、COOM、OH、COOCH3、COOCH2CH3、COCH3から選択される置換基によって置換された炭素数２〜６の置換アルキル；非置換アリール又はCH3もしくはハロゲンで置換されたアリールであり、
Ｍは、水素、金属原子；アンモニウム又は炭素数１〜１２のアルキル、アルコキシアルキル又はヒドロキシルアルキルで置換されたアンモニウムである〕を有する、請求項１に記載の水性インクジェットインク。
【請求項３】
前記少なくとも１つのアニオン染料が、下記式(II)
【化２】
2000129183.tif 000002
を有する、請求項１に記載の水性インクジェットインク。
【請求項４】
前記少なくとも１つの緩衝剤が、インクのpHを６〜９の範囲で維持するのに十分な量で存在する、請求項１、２、又は３に記載の水性インクジェットインク。
【請求項５】
前記少なくとも１つの緩衝剤が、インクのpHを6.5〜8.5の範囲で維持するのに十分な量で存在する、請求項４に記載の水性インクジェットインク。
【請求項６】
前記少なくとも１つの緩衝剤が、（トリス[ヒドロキシメチル]アミノメタン）、（３-[Ｎ-モルホリノ]プロパンスルホン酸）、（Ｎ-トリス[ヒドロキシメチル]メチル-２-アミノエタンスルホン酸）、（３-[Ｎ,ｎ-ビス２-ヒドロキシエチルアミノ]-２-ヒドロキシプロパンスルホン酸、（３-[Ｎ-トリスヒドロキシメチルメチルアミノ]-２-ヒドロキシプロパンスルホン酸）、（Ｎ-[２-ヒドロキシエチル]ピペラジン-Ｎ'-[２-ヒドロキシプロパンスルホン酸）、（Ｎ-トリス[ヒドロキシメチル]メチルグリシン）、（Ｎ,Ｎ-ビス[２-ヒドロキシエチル]グリシン）、（Ｎ-トリス[ヒドロキシメチル]メチル-３-アミノプロパンスルホン酸）、（ピペラジン-ｎ,ｎ'-ビス[２-ヒドロキシプロパンスルホン酸）、及び（３-[１,１-ジメチル-２-ヒドロキシエチルアミノ]-２-ヒドロキシプロパンスルホン酸）から成る群から選択される、請求項１、２、又は３に記載の水性インクジェットインク。
【請求項７】
前記少なくとも１つの緩衝剤が、（トリス[ヒドロキシメチル]アミノメタン）である、
請求項６に記載の水性インクジェットインク。
【請求項８】
前記少なくとも１つの沈殿剤が、多価金属化合物である、請求項１、２、又は３に記載の水性インクジェットインク。
【請求項９】
前記多価金属化合物が、金属塩又は金属配位化合物である、請求項８に記載の水性インクジェットインク。
【請求項１０】
前記多価金属化合物が、金属塩である、請求項９に記載の水性インクジェットインク。
【手続補正２】
【補正対象書類名】明細書
【補正対象項目名】００１３
【補正方法】変更
【補正の内容】
【００１３】インクが染料ベースであるか顔料ベースであるかに関係なく、インクジェット用インクは、共通して、カラー対カラー又はブラック対カラーのブリード制御という問題に直面する。用語"ブリード"は、ここで使われるときは、インクが印刷媒体上に堆積されると、１つのカラーの他のカラーへの侵入（その間にぎざぎざの境界が現れる）と定義される。ブリードは、複数の色が紙基板の表面上で及び基板自体の内部で混ざり合うときに起こる。ブリードの発生は、ブラックインクと、近接して印刷されたカラーインクとの間ではますます目立つために、特に問題となる。故に、良好な印刷品質を得るには、ブリードを十分に減ずるか又は排除して、カラー間の境界をなめらかにし、且つ、１つのカラーの他への侵入が無いようにしなければならない。
【手続補正３】
【補正対象書類名】明細書
【補正対象項目名】００２２
【補正方法】変更
【補正の内容】
【００２２】代表的な用途として、第二インクの着色剤を固定化させるために、多価金属を含有する第一インクを用いることができる。この場合、第二インク中の着色剤は、例えば、印刷媒体上で第一インクと接触すると沈殿剤（例えば、多価金属）と結合して不溶性の塩、複合物、又は化合物を生成する官能基を有する少なくとも１つの第二着色剤からなり、これにより第二インク中の第二着色剤が固定化される。着色剤本発明の着色剤を選択する際、次の諸因子：特に普通紙上での、適切な色相角及びカラー性能；優れた耐光性；及び比較的高い無機塩含量を有する組成への適合性（安定性）、を考慮すべきである。
【手続補正４】
【補正対象書類名】明細書
【補正対象項目名】００２８
【補正方法】変更
【補正の内容】
【００２８】式中、R1は、水素又は炭素数１〜６の脂肪族の基から選ばれ；nは、２、３、又は４であり；Xは、NR3R4であり、この場合R3とR4はそれぞれ、水素；炭素数１〜６のアルキル；O、OCH3、COOM、SO3Mから選ばれる置換基によって置換された炭素数２〜６の置換アルキル；アラルキル；非置換アリール又はCOOM、SO3Mで置換されたアリールから選ばれ；R3とR4は、ヘテロ原子含有又は非含有の環を形成してよく；又は、Xは、SR5であり、この場合R5は炭素数１〜６のアルキル；OH、OCH3、COOM、SO3Mから選ばれる置換基によって置換された炭素数２〜６の置換アルキルであり；又は、Xは、OR6であり、この場合R6は水素又は炭素数１〜６の脂肪族の基であり；R7は、水素、炭素数１〜６のアルキル；CN、COOM、OH、COOCH3、COOCH2CH3、COCH3から選ばれる置換基によって置換された炭素数２〜６の置換アルキル；非置換アリール又はCH3あるいはハロゲンで置換されたアリールであり；Ｍは、水素、金属原子；アンモニウム又は炭素数１〜１２のアルキル、アルコキシアルキル又はヒドロキシルアルキルで置換されたアンモニウムである。
【手続補正５】
【補正対象書類名】明細書
【補正対象項目名】００４７
【補正方法】変更
【補正の内容】
【００４７】それらサンプルをHClで滴定し、結果を図２にプロットした。図２のデータから分かるように、VEHICLEサンプルに関する滴定曲線は、INKサンプルより急勾配であった。本発明の範囲を制限することなく、このデータは、染料の緩衝能力を示しており、且つ（酸からの）Ｈ+がインクに付加されるにつれ、染料がプロトン化され、従って曲線の傾斜を減じたものであると、発明者は考えている。実施例 ３インクジェットインクは、その使用が予定される環境において蒸発し易く、これが次には、インクを送出するプリントヘッドの性能に影響を及ぼす。それらが蒸発状態にさらされた時のインクの性能を評価するため、２つのグループのインクを準備した。２つのグループの中の１つの組成は、ビヒクルが30％蒸発した状態を反映するよう調整した（EVAPORATED）。それから、各グループ内のインクの初期pHを必要に応じ所望のレベルに調整した。次いで、サンプルを沈殿の徴候について監視し、目に見える沈殿が始まるまでの日数を、図３に記録したように、インクの初期pHに対してプロットした。図３から分かるように、蒸発インクは、より高い含水量を有するインク（非蒸発インク）に比べて、低pHにおける安定性マージン(stability margin)が小さかった。本発明の範囲を限定することなく、このデータは、ビヒクルの組成が変化する際の沈殿に対する染料の感度を示しており、従って、より強健な(robust)調合の必要性を示しているのであると信じられる。